(57)【特許請求の範囲】
【請求項１】
外壁に該外壁から外方に突出した状態に設けられる部材を取り付けるための部材取付構造であって、上記外壁と上記部材とを接合する接合手段と、上記部材の上記外壁に接合される部分の少なくとも上側縁部に設けられた部材側水遮断手段と、上記外壁に上記部材が取り付けられた際に、上記外壁の上記部材側水遮断手段が当接する部分に設けられた壁側水遮断手段とを備え、上記接合手段により外壁に上記部材を取り付けた際に、壁側水遮断手段と部材側水遮断手段とが互いに押し付けられて、壁側水遮断手段と部材側水遮断手段とが当接した部分が止水された状態となっており、
さらに、上記外壁と上記部材とにそれぞれ互いに係合する係合手段が設けられ、上記接合手段による上記外壁と上記部材との接合に際して、上記係合手段により上記外壁と上記部材とが仮止めされるようになっており、
上記係合手段は、上記壁側水遮断手段の前面に取り付けられた壁側係合部と、上記部材に接合され、かつ壁側係合部に係合する部材側係合部とから構成されるとともに、上記部材を外壁に取り付ける際の位置決め手段を備えており、
この位置決め手段は、上記部材側係合部に設けられた挿通孔と、上記接合手段を構成し、かつ上記外壁側に取り付けられたボルトとから構成され、上記挿通孔にボルトの先端が挿入されるようにして、上記部材が位置決めされていることを特徴とする外壁の部材取付構造。
【請求項２】
上記部材側水遮断手段と上記壁側水遮断手段とのうちの一方の水遮断手段が平板とされ、他方の水遮断手段が弾性を有する水密材とされ、上記接合手段により外壁に上記部材を取り付けた際に、他方の水遮断手段である平板に一方の水遮断手段である水密材が押し付けられた状態となることを特徴とする請求項１記載の外壁の部材取付構造。
【請求項３】
上記外壁が、住宅の建築前に予めパネル状に形成されるとともに、該パネル状の外壁の外面において、上記部材の取付位置を除く部分に予め外装仕上げ材が貼設され、予め外装仕上げ材が取り付けられた上記外壁に上記部材を取り付け可能となっていることを特徴とする請求項１また２記載の外壁の部材取付構造。
【請求項４】
上記外壁の部材取付位置の上に上記外壁と上記部材との接合部を上から覆う水切り板が設けられていることを特徴とする請求項１から３のいずれか一つに記載の外壁の部材取付構造。
【請求項５】
上記壁側水遮断手段が平板とされ、該平板が外壁外面の部材取付位置の略全面を覆うともに、防火性を有するものとされていることを特徴とする請求項１から４のいずれか一つに記載の外壁の部材取付構造。
【発明の詳細な説明】
【０００１】
【発明の属する技術分野】
本発明は、建築物の外壁面に上記部材を取り付けるための外壁の部材取付構造に関する。
【０００２】
【背景の技術】
一般に、建築物の構成要素である床、壁、屋根をそれぞれ床パネル、壁パネル、屋根パネルを組み付けて構成するパネル工法のプレハブ住宅が知られている。上記パネル工法においては、現場での省力化を進めるために、例えば、パネルを製造する工場から建築現場にパネルを搬送する際に、予め、複数のパネルを接合した状態として搬送することが行われるとともに、パネルの表面に仕上げ材を貼設した状態で搬送することが行われている。
【０００３】
上述のようにすれば、建築現場において、パネル同士を接合する作業を省力化することができるとともに、例えば、外壁用の壁パネルを建て込んだ後に、壁パネルの表面に外装仕上げ材を貼設する作業を省力化することができる。
なお、外壁面に、庇等の部材を取り付ける場合には、外装仕上げ材を介さずに壁パネル側に取り付けることが好ましく、このような部材を取り付ける部分には、予め外装仕上げ材を取り付けないようにしておくことが好ましい。
【０００４】
【発明が解決しようとする課題】
ところで、外壁面には、サイディングの内側に、例えば、防水透湿シート等が貼設され、外壁の躯体となるパネルに雨水等が浸透しないようにしている。
従って、上述の外壁面に該外壁面から外方に突出する部材を取り付ける場合には、外壁面に防水透湿シートのような防水材を介して取り付けられることになる。
しかし、この際には、部材が防水透湿シートを貫通するようなボルトや釘やコーチスクリュー等の接合部材で取り付けられることになるので、上記部材と外壁面との接合部を新たに防水処理することが好ましい。
【０００５】
そして、上記部材と外壁面との接合部の防水処理には、例えば、上記接合部の周縁部において、上記部材と外壁面との間等にシーリング材（コーキング材）を充填するものがある。
なお、シーリング材は、充填された後にその形状に弾性を有した状態で固まるものであり、シーリング材を用いた作業は、湿式の作業となる。
そして、湿式の作業は、仕上がりをきれいにするとともに、確実に機能を発揮する状態とするのにある程度熟練を有するものであり、比較的手間のかかる作業である。
【０００６】
すなわち、外壁面に上記部材を取り付けた際の防水処理に手間がかかっていた。
また、垂直な外壁面に上記部材を取り付ける際には、上記部材を外壁面に当接するように保持した状態で、外壁面に上記部材を固定する必要があり、一人で作業をする場合には、一方の手で上記部材を上述のように保持した状態で、他方の手で固定作業を行う難しい作業となった。
特に、上記部材の重量が大きい場合には、片手で上記部材を保持することができないので、一人もしくは複数の作業者が上記部材を保持し、他の作業者が上記部材を外壁面に固定する作業を行うことになり、比較的多くの人手を必要とする作業となってしまう。
【０００７】
本発明は、上記事情に鑑みてなされたものであり、外壁面に上記部材を取り付ける作業の簡略化及び省力化を行うことが可能な外壁の部材取付構造を提供することを目的とするものである。
【０００８】
【課題を解決するための手段】
本発明の請求項１記載の外壁の部材取付構造は、例えば、図３、図４及び図６に示すように、外壁１１に該外壁１１から外方に突出した状態に設けられる部材（庇５）を取り付けるためのものであり、上記外壁１１と上記部材５とを接合する接合手段（ボルト１８及びナット１８ｂ、コーチスクリュー１９）と、上記部材５の上記外壁１１に接合される部分の少なくとも上側縁部に設けられた部材側水遮断手段（水密材２５）と、上記外壁１１に上記部材５が取り付けられた際に、上記外壁１１の上記部材側水遮断手段２５が当接する部分に設けられた壁側水遮断手段（平板１６）とを備え、上記接合手段１８、１８ｂ、１９により外壁１１に上記部材５を取り付けた際に、壁側水遮断手段１６と部材側水遮断手段２５とが互いに押し付けられて、壁側水遮断手段１６と部材側水遮断手段２５とが当接した部分が止水された状態となっており、
さらに、上記外壁１１と上記部材５とにそれぞれ互いに係合する係合手段１７、２０が設けられ、上記接合手段１８、１８ｂ、１９による上記外壁１１と上記部材５との接合に際して、上記係合手段１７、２０により上記外壁１１と上記部材５とが仮止めされるようになっており、
上記係合手段１７、２０は、上記壁側水遮断手段１６の前面に取り付けられた壁側係合部１７と、上記部材５に接合され、かつ壁側係合部１７に係合する部材側係合部２０とから構成されるとともに、上記部材５を外壁１１に取り付ける際の位置決め手段を備えており、
この位置決め手段は、上記部材側係合部２０に設けられた挿通孔２６と、上記接合手段１８、１８ｂ、１９を構成し、かつ上記外壁１１側に取り付けられたボルト１８とから構成され、上記挿通孔２６にボルト１８の先端が挿入されるようにして、上記部材５が位置決めされていることを上記課題の解決手段とした。
【０００９】
上記構成によれば、上記接合手段１８、１８ｂ、１９により外壁１１に上記部材５を取り付けた際に、壁側水遮断手段１６と部材側水遮断手段２５とが互いに押し付けられて、壁側水遮断手段１６と部材側水遮断手段２５とが当接した部分が止水された状態となるので、外壁１１に上記部材５を取り付けた後に、例えば、外壁面と上記部材５の周縁部において、外壁面と上記部材５との間等にシーリング材等を充填する必要がないので、外壁面への上記部材５の取付作業において防水処理にかかる手間を省いて、上記取付作業を簡略化及び省力化することができる。
また、接合手段１８、１８ｂ、１９による上記外壁１１と上記部材５との接合に際して、上記係合手段１７、２０により、上記外壁１１と上記部材５とが仮止めされるので、上記部材５を外壁１１の取付位置に保持するために、作業者が上記部材５を持っている必要がなく、上記外壁１１と上記部材５とを容易に接合することができる。
さらに、作業者は、上記部材５を係合手段１７、２０により外壁１１に仮止めした後に、接合手段１８、１８ｂ、１９により接合できるので、上記部材５が一人で持ち上げ可能な重量ならば、一人で上記部材５を外壁１１に接合することができる。なお、上記係合手段１７、２０とは、例えば、外壁面側に設けられた係止片と、上記部材側に設けられた係止片とを引っかけることにより、外壁面に上記部材５を仮止めするものである。また、上記係合手段１７、２０は、上記外壁面の上記部材５の取付位置に上記部材５を仮止
【００１０】
すなわち、外壁面に上記部材５を取り付けた際の防水処理において、シーリング材を用いた熟練を要するめんどうな湿式作業をなくすことができるので、外壁面への上記部材５の取り付けに、接着剤等を用いないものとすれば、外壁面への上記部材５の取り付け作業を完全な乾式作業とすることができる。
また、上記接合手段１８、１８ｂ、１９により外壁１１に上記部材５を取り付ける際に、壁側水遮断手段１６と部材側水遮断手段２５とが互いに押し付けられて、壁側水遮断手段１６と部材側水遮断手段２５とが当接した部分が止水されるので、外壁１１への上記部材５の取付作業を行うだけで、外壁面と上記部材５との接合部の防水処理も行われてしまうので、防水処理の作業を極めて大幅に簡略化することができる。
【００１１】
なお、上記部材５とは、例えば、外壁面から外方に突出した状態に設けられる庇５であるが、上記部材５は、庇５に限定されるものではなく、外壁面から外方に突出するように外壁面に取り付けられるものならばどのようなものでも良い。例えば、上記部材５としては、外壁面に取り付けられる幕板、バルコニーの側壁部分、フラワーボックス、出窓の部材、シャッターを収納するシャッターケースなどでも良い。
【００１２】
また、上記壁側水遮断手段１６と部材側水遮断手段２５とは、基本的に水をあまり浸透させない部材であって、少なくともどちらか一方の水遮断手段２５が弾性変形可能なものとされ、互いに押し付けられた際に、少なくとも一方の水遮断手段２５が弾性変形し、弾性変形した方の水遮断手段２５がその弾性力により他方の水遮断手段１６に常時押し付けられて水遮断手段１６、２５同士が密着した状態に保持されるようになっている必要がある。
【００１３】
また、壁側水遮断手段１６と部材側水遮断手段２５とは、両方とも弾性を有するものとしても良いが、例えば、一方の水遮断手段２５を弾性変形可能なものとし、他方の水遮断手段１６を硬質なものとしても良く、弾性変形可能な水遮断手段２５としては、例えば、天然ゴムや各種合成ゴム（シリコンゴムを含む）等のようなゴムや、ゴム以外の弾性を有する合成樹脂等を用いることができ、硬質な水遮断手段１６としては、セラミック、金属等を用いることができるとともに、水の浸透性があまりないコンクリートや、表面に何らかの防水処理がなされた透水性を有する部材等を用いるものとしても良い。
また、上記接合手段１８、１８ｂ、１９としては、例えば、ボルト１８とナット１８ｂや、釘や、コーチスクリュー１９や、各種接合金物や、接合金物とボルトなどを用いることができるが、上記部材５を外壁１１に接合する際に、上記部材５を外壁面に押し付けた状態となることが必要である。
【００１４】
本発明の請求項２記載の外壁の部材取付構造は、上記部材側水遮断手段２５と上記壁側水遮断手段１６とのうちの一方の水遮断手段１６が平板１６とされ、他方の水遮断手段２５が弾性を有する水密材２５とされ、上記接合手段１８、１８ｂ、１９により外壁１１に上記部材５を取り付けた際に、他方の水遮断手段１６である平板１６に一方の水遮断手段２５である水密材２５が押し付けられた状態となることを上記課題の解決手段とした。
【００１５】
上記構成によれば、上述のように上記壁側水遮断手段１６と部材側水遮断手段２５とが、互いに押し付けられた際に、一方の弾性を有する水遮断手段２５が弾性変形し、弾性変形した方の水遮断手段２５がその弾性力により他方の平板状の水遮断手段１６に常時押し付けられて水遮断手段１６、２５同士が密着した状態が保持され、壁側水遮断手段１６と部材側水遮断手段２５とが互いに当接した部分の水密性を確保することができる。
【００１６】
本発明の請求項３記載の外壁の部材取付構造は、上記外壁１１が、住宅の建築前に予めパネル状に形成されるとともに、該パネル状の外壁１１の外面において、上記部材５の取付位置を除く部分に予め外装仕上げ材（サイディング１４）が貼設され、予め外装仕上げ材１４が取り付けられた上記外壁１１に上記部材５を取り付け可能となっていることを上記課題の解決手段とした。
上記構成によれば、外壁１１が、住宅の建築前に予めパネル状に形成されるとともに、該パネル状の外壁１１の外面において、上記部材５の取付位置を除く部分に予め外装仕上げ材が貼設されているので、建築現場において、外壁１１に外装仕上げ材１４を取り付ける必要がなく、現場作業の省力化を図ることができる。
【００１７】
また、パネル状に形成された外壁１１の外面の上記部材５の取付位置を除く部分に予め外装仕上げ材１４が貼設されているので、上記部材５の取付位置には、外装仕上げ材１４が施されておらず、例えば、外装仕上げ材１４が貼設された外壁１１において、上記部材５の取付位置の外装仕上げ材１４だけを切断して取り外すような手間をかける必要がなく、現場作業の省力化を図ることができる。
【００１８】
なお、パネル状に形成された外壁１１とは、例えば、図２に示すように、矩形枠状の枠体と、該枠体の両面に貼設された面材とからなる壁パネル２である。上記壁パネル２は、例えば、工場で製造され、次いで、建築現場に搬送され、建築現場で連続して互いに接合された状態で立設されることにより、壁となるものである。
また、工場において、上記壁パネル２を複数接合して、さらに大型の壁パネル３を製造し、これを建築現場で立設するようにしても良い。
また、上記壁パネル２や大型の壁パネル３の外面には、例えば、工場において、外装仕上げ材１４が貼設された状態とされている。
【００１９】
本発明の請求項４記載の外壁の部材取付構造は、上記外壁１１の部材取付位置の上に上記外壁１１と上記部材５との接合部を上から覆う水切り板７が設けられていることを上記課題の解決手段とした。
上記構成によれば、上記水切り板７により、外壁１１と上記部材５との接合部に直接雨水がかかるのを防止することができ、外壁１１と部材５との接合部の防水性を向上することができる。
【００２０】
なお、上記水切り板７は、例えば、防錆処理された金属板であり、外壁面から外壁１１と上記部材５との接合部の上側に延在するものである。
また、上述のように、外壁１１が、住宅の建築前に予めパネル状に形成されるとともに外装仕上げ材１４が施されているものとされている場合に、水切り板７は、住宅の建築前に予めパネル状に形成された外壁（大型壁パネル３）に取り付けられていることが好ましい。
【００２３】
本発明の請求項５記載の外壁の部材取付構造は、上記壁側水遮断手段１６が平板１６とされ、該平板１６が外壁１１外面の部材取付位置の略全面を覆うともに、防火性を有するものとされていることを上記課題の解決手段とした。上記構成によれば、外壁面の外装仕上げ材１４が取り付けられていない上記部材５の取付位置が、壁側斜水手段１６となる平板１６に覆われているので、外壁面の外装仕上げ材１４に保護されない上記部材５の取付位置が、平板１６に保護されることになる。
【００２４】
特に、上記平板１６が防火性を有するので、外装仕上げ材１４に保護されない上記部材５の取付位置の防火性能を向上することができる。
また、上記平板１６が水の浸透性が小さいものならば、該外壁面の部材の取付位置の防水性を高めることができる。
なお、上記平板１６は、外壁面の上記部材５の取付位置の略全面を覆っているので、上記部材５が上記外壁面に平板１６を介して接合されることになり、上記平板１６は、上記部材５の上記外壁面への接合強度を弱めることがないものであることが好ましい。
従って、平板５は硬質なものであることが好ましく、上述のように各種セラミック、金属板、低透水性のコンクリートなどであることが好ましい。
【００２５】
【発明の実施の形態】
以下に、本発明の実施の形態の一例の外壁の取付構造を図面を参照して説明する。
図１はこの一例の外壁の取付構造を適用された住宅１を示すものであり、図２は上記住宅１の外壁を構成する壁パネル２…及び該壁パネル２…を複数接合してなる大型壁パネル３を示すものであり、図３は上記大型壁パネル３に設けられ、かつ、部材が接合される壁側接合部４を示すものであり、図４は上記大型外壁パネル３からなる外壁面に取り付けられる部材としての庇５と該庇５の壁に接合される部材側接合部６を示すものであり、図５は建築現場に立設された大型外壁パネル３からなる外壁面に庇５を取り付けた状態を示すものであり、図６は大型外壁パネル３と庇５との接合構造を示すものである。
【００２６】
この一例の外壁の部材取付構造は、図１に示す住宅１の勝手口となるドア１０の庇５を外壁１１に取り付けるための取付構造に本発明を応用したものである。
ここで、まず、庇５が取り付けられる外壁１１を説明する。
住宅５の外壁１１は、図２に示すように、予め、工場で製造された壁パネル２…を左右に連続して接合することにより形成されるものである。
【００２７】
なお、壁パネル２…は、基本的に矩形枠状の枠体（図示略）と、該枠体の中に配置された縦や横の棧材（図示略）と、枠体内に配置された断熱材（図示略）と、枠体の両側面に貼設された面材２ａ…とからなるものである。
また、壁パネル２…には、各種の規格化されたサイズの物が用意されている。そして、壁の構築い際しては、壁パネル２…をそのまま現場に搬送し、現場で複数の壁パネル２…を左右に連続して接合して一つの住宅の壁面を構成することができるが、この一例においては、工場において複数の壁パネル２…と、方立１２…と、調整材１３…とを接合して大型壁パネル３を製造し、この大型壁パネル３を現場に搬送して立設することにより、外壁１１等の壁が形成されるようになっている。
【００２８】
また、外壁用の大型壁パネル３の外面には、予め、工場において、図３に示すように、外装仕上げ材であるサイディング１４が貼設されている。なお、サイディング１４は、大型壁パネル３の外面に細板状の部材である胴縁（図示略）を介して接合されており、例えば、図６に示すように大型壁パネル３（壁パネル２）とサイディング１４との間に隙間があくようになっている。
また、大型壁パネル３の表面には、水の透過を阻止した状態で水蒸気を透過する防水透湿シート（図６に破線で図示）１５が貼設され、その上に上述のようにサイディング１４が取り付けられるようになっている。
【００２９】
そして、この一例においては、図３に示すように大型壁パネル３の外面に、庇５を取り付けるための壁側接合部４が工場において取り付けられるようになっている。
そして、大型壁パネル３の壁側接合部４の部分には、サイディング１４が設けられていない状態、すなわち、大型壁パネル３の略全面を覆うサイディング１４の壁側接合部４に対応する部分には、矩形状の開口部が設けられた状態となっている。なお、実際には、大型壁パネル３の壁側接合部４の下側には、勝手口用の開口部が設けられており、上述のサイディング１４の壁側接合部４に対応する部分の開口部と勝手口用の開口部とがつながった状態となっている。
【００３０】
そして、壁側接合部４には、大型壁パネル３の防水透湿シート１５の上に壁側接合部４の略全面を覆うように、矩形状の平板（センチュリーボード）１６が貼設されている。該平板１６は、硬質で防火性（耐火性）を有するものであり、サイディング１４に覆われずに露出した状態の大型壁パネル３の壁側接合部４の部分を、保護するようになっている。
また、平板１６は、例えば、ビスと接着剤とにより大型壁パネル３に取り付けられるようになっている。
【００３１】
また、上記平板１６の上部には、庇５と外壁１１との接合部を覆うように、水切り板７が設けられている。該水切り板７は、図６に示すように、大型壁パネル３の外面に沿って該外面に接合される接合片７ａと、該接合片７ａの上側縁部から前方の延出する覆い部７ｂと、覆い部７ｂの先端部から垂設された垂辺７ｃと、該垂辺７ｃから大型壁パネル３側に斜め上方に折り返された折り返し片７ｄとからなるものである。
【００３２】
上記接合片７ａは、大型壁パネル３の外面の上記平板１６の上側縁部と大型壁パネル３との間の部分に挟まれた状態で、大型壁パネル３に接合されるようになっている。
そして、上記覆い部７ｂは、平板１６の上側において、平板１６より前方に延出することにより、庇５と外壁１１との接合部を覆い、該接合部に雨水が直接あたるのを防止するようになっている。
【００３３】
上記垂辺７ｃは、覆い部７ｂ上に降った雨を庇５の該庇５と外壁１１との接合部より外方側の上部に流下させるためのものである。また、折り返し片７ｄは、垂辺７ｃを流下する雨水が水切り板７の内側に回り込むのを防止するためのものである。
そして、平板１６の前面には、壁側係合部１７が取り付けられている。
上記壁側係合部１７は、図３及び図６に示すように、矩形板状に形成されるとともに、長手方向を略水平にした状態で後ろ側の側面が平板１６の前面に接合される接続板１７ａと、該接続板１７ａの上側縁部及び下側縁部からそれぞれ前方に突出した状態で配置される突条部１７ｂ、１７ｃと、上側の突条部１７ｂの先端部から下方に突出した状態の掛止部１７ｄと、上記接続板１７ａに上下一対ずつ複数設けられた挿通孔１７ｅ…とを具備してなる。
【００３４】
上記壁側係合部１７は、庇５を外壁１１に締結する際に、仮止めするものであり、後述する庇側係合部２０に係合するようになっている。すなわち、接続板１７ａの上側縁部及び下側縁部にそれぞれ設けられた突条部１７ｂ、１７ｃの間に庇側係合部２０が挿入可能となっているとともに、庇側係合部２０の下部が下側の突条１７ｃに載せられた状態で庇側係合部２０の後述する掛止片２０ａ、２０ａが壁側係合部１７の掛止部１７ｄに掛けられることにより、壁側係合部１７に庇側係合部２０が係合するようになっている。
【００３５】
また、上記上下で対になった挿通孔１７ｅ…のうちの上側の挿通孔１７ｅは、図６に示すように、庇５を外壁１１に締結するためのボルト１８が貫通するものであり、下側の挿通孔１７ｅは、同じく庇５を外壁に締結した状態に固定するコーチスクリュー１９が貫通するものである。
なお、上記平板４には、上記壁側係合部１７の接合板１８ａと同様に上記ボルト１８及びコーチスクリュー１９を貫通するための挿通孔が形成されている。また、接続板１７ａには、左右に所定の間隔を開けて一対ずつの挿通孔１７ｅ…が複数形成されているが、その全ての挿通孔１７ｅ…を使わなくとも良い。
【００３６】
そして、上記ボルト１８は、大型壁パネル３を構成する壁パネル２の枠体もしくは棧材の部分を貫通するように配置されており、壁パネル３の内面側のボルト１８の頭部１８ａが配置されている。なお、ボルト１８は、大型壁パネル３に貫通した状態で何らかの方法で回転を抑止されていることが好ましい。すなわち、後述するようにボルト１８にナット１８ｂを螺合して庇５を壁１１に締結する際に、ボルト１８の頭部１８ａをスパナ等の工具で押さえていなくとも、大型壁パネル３の外面側からナット１８ｂを螺合して回転させるだけで、締結を行えるようになっていることが好ましい。
【００３７】
また、ボルト１８は、工場で大型パネル３を製造し、該大型パネルに壁側接合部４を設ける際に大型パネル３に取り付けられるようになっている。
すなわち、図３に示すように、大型パネル３を現場に搬送する際には、ボルト１８が大型パネル３の内面側から外面側に貫通し、ボルト１８の先端が壁側係合部１７から突出した状態となっている。
【００３８】
また、上記コーチスクリュー１９は、庇５を壁１１に仮止めした状態で、大型壁パネル３を構成する壁パネル２の枠体もしくは棧材の部分にねじ込まれることにより、庇５を壁１１に締結するものである。そして、上記コーチスクリュー１９は、建築現場において、庇５を外壁１１に取り付ける際に取り付けられる。
そして、大型壁パネル３の壁側接合部４の下には、上述のように勝手口の開口が形成されるとともに、大型壁パネル３を現場に搬送する前の段階で、ドア１０、すなわち、勝手口用ドアサッシが取り付けられるようになっている。
【００３９】
次に、庇５を説明する。
庇５は、図１及び図５に示すように、住宅１の背面側において、勝手口となるドア１０の上に外壁１１の外面から外方に突出した状態で設けられるものである。
そして、庇５は、図４、図５に示すように、平面視して矩形状に形成され、その後面側が外壁１１に接合されるようになっている。また、庇５の左右側面２１、前面２２及び上面２３は耐水性を有する板体からなっている。
【００４０】
また、庇５の上面２３には、水勾配が付けられている。
また、庇５の下面側は、図６に示すように、少なくとも庇の後端部側から開口した状態とされ、該開口が現場において、軒天材２４が取り付けられて閉塞されるようになっている。また、庇５の外壁１１の接合作業においては、庇５の下面側の開口からボルト１８とナット１８ｂとによる締結作業と、コーチスクリュー１９による締結作業とを行えるようになっている。
【００４１】
そして、庇５の後面側は、開口した状態とされるとともに、該開口した状態の庇５の後面側に上記開口を閉塞するように庇側接合部６の庇側係合部２０が取り付けられるようになっている。
庇側接合部６は、壁側係合部１７に係合する庇側係合部２０と、庇側水遮断手段となる水密材２５とからなる。
上記庇側係合部２０は、長尺な矩形状に形成されるとともに、水平に配置され、その両端部が庇５の左右側面部２１に接合された状態となっている。
【００４２】
また、庇側係合部２０は、図４及び図６に示すように、平板１６に当接した状態で接合される接合板２０ｂと、該接合板２０ｂの上側縁部から庇５の前面側に突出する上板２０ｃとから断面逆Ｌ字状に形成され、さらに、上板２０ｂの上面の左右端部に、それぞれ、断面Ｌ字状の上記掛止片２０ａ、２０ａが取り付けられるようになっている。
【００４３】
上記接合板２０ｂには、図４に示すように、上記ボルト１８が挿通する挿通孔２６と、上記コーチスクリュー１９が挿通する挿通孔２７とが形成されている。そして、庇５を外壁１１に接合する際に、この接合板２０ｂと大型壁パネル３とがボルト２６と、コーチスクリュー１９により締結されることになる。
なお、挿通孔２７は、壁側接合部１７から既に突出した状態のボルト１８を挿通することになるが、庇５を外壁１１に取り付ける際に、後述するように庇５を先端側が高くなるように斜めにした状態から水平にした状態して取り付けるので、挿通孔２７にボルト１８が挿入された状態で庇５を斜めにできるように長孔とされている。
【００４４】
該掛止片２０ａ、２０ａは、上記上板２０ｂに接合される接合部２０ａ１と、接合部２０ａ１から上方に延出する立設部２０ａ２とからなり、該立設部２０ａ２が、上述のように壁側係合部１７の掛止部１７ｄに掛止されるようになっている。
そして、上記水密材２５は、庇５の後面の外周部分のうちの下側の中央部分の除く部分に形成されている。すなわち、水密材２５は、庇５の上記外壁に接合される部分の上側縁部と左右側縁部と下側縁部のうちの中央部分を除く部分に一体に設けられている。
【００４５】
該水密材２５は、弾性を有するとともに、柔軟性を有し、かつ、水が浸透しにくい材料からなっている。例えば、水密材２５としては、各種ゴムや、その他の弾性と柔軟性を有する合成樹脂を用いることができる。
そして、上記水密材２５は、庇５を外壁１１に締結した際に、壁側接合部４の平板１６に押し付けられ、弾性変形するとともに、弾性力により常時平板１６を押圧した状態となり、平板１６に水密材２５を密着させた状態を保持できるので、平板１６と水密材２５との間に雨水が侵入することがなく、庇５と外壁１１との接合部の下側を除く周縁部の水密性を確保することができる。
なお、言うまでもなく、水密材２５を庇５の後面側の全周に渡って設けるようにしても良いのは言うまでもない。
【００４６】
次に、この一例の外壁の部材取付構造を用いた庇５の外壁１１への取付方法を説明する。
まず、工場等において上述のように壁パネル２を製造するとともに、壁パネル２を左右に連接して外壁用の大型壁パネル３を製造する。
次いで、大型壁パネル３の外面側に防水透湿シート１５を貼設し、その上に胴縁（図示略）を介してサイディング１４を取り付け、大型壁パネル３の外面をサイディング１４で覆うようにする。
【００４７】
また、大型壁パネル３の壁側接合部４の部分は、サイディング１４で覆われない状態とし、大型壁パネル３の壁側接合部４の部分に水切り板７、平板１６、壁側係合部１７とを取り付け、さらに、ボルト１８を大型パネル３の内面側から外面側に貫通させる。
さらに、大型壁パネル３には、勝手口用のドア１０となるドアサッシや、その他の窓サッシ等を取り付ける。また、大型壁パネル３の内面側に内装仕上げ材を取り付けるものとしても良い。
【００４８】
この状態で大型壁パネル３を建築現場に搬送し、建築現場３において大型壁パネル３を基礎（図示略）上に立設することにより、住宅１の一階の外壁１１を構築する。
次に、外壁１１に庇５を取り付けることになる。この際には、まず、後端側より先端側を僅かに上にした斜めの状態で、庇５の後端面側の庇側係合部２０の接合板２０ｂを壁側係合部１７の接続板１７ａの上側縁部及び下側縁部にそれぞれ設けられた突条部１７ｂ、１７ｃ同士の間に挿入するとともに、庇側係合部２０ａの掛止片２０ａ、２０ａが上記突条部１７ｃの掛止部１７ｄより内側になるようにする。
【００４９】
また、接合板２０ｂの挿通孔２６に大型壁パネル３側に取り付けられたボルト１８の先端が挿入されるようにする。
この状態で、庇５を水平になるように回転することにより、壁側係合部１７の接続板１７ａの下側縁部に設けられた突条部１７ｃの上に、庇側係合部２０の接合板２０ｂの下端が載るようにする。
【００５０】
この状態では、庇側係合部２０の接合板２０ｂの下端が壁側係合部１７の上記突条部１７ｃに載った状態で、庇側係合部２０の掛止片２０ａ、２０ａが壁側係合部１７の掛止部１７ｄに掛止されているので、庇５が外壁１１に仮止めされた状態となる。
すなわち、庇５の自重により庇５の先端が下方に下がろうとすると、壁側係合部１７の掛止部１７ｄに庇側係合部２０の掛止片２０ａ、２０ａが押し付けられ、掛止部１７ｄに掛止片２０ａ、２０ａが強く掛止された状態となるとともに、庇側係合部２０の接合板２０ｂの下端部が壁側係合部１７の突条部１７ｃの奥側に向かって移動しようとし、突条部１７ｃから接合板２０ｂの下端部が落ちることがないので、庇５に大きな外力を加えない限り、庇５が外れない状態となる。
【００５１】
従って、この状態で手をはなしても庇５が外壁１１から落ちることがなく、庇５を外壁１１に締結する際に、庇５を手で押さえて外壁１１の取り付け位置に保持する必要がない。また、上述のように庇５を斜めにした状態で、庇側係合部２０の接合板２０ｂを壁側係合部１７の突条部１７ｂ、１７ｃ同士の間に挿入するとともに、上記接合板２０ｂの挿通孔２６にボルト１８の先端部が挿入されるようにし、次いで、庇５をほぼ水平にもどすだけの簡単な操作で庇５を外壁１１に容易に仮止めすることができる。
【００５２】
さらに、壁側係合部１７に庇側係合部２０を係合させるとともに、庇側係合部２０の接合板２０ｂの挿通孔２６にボルト１８を挿入させることで、庇５の位置決めが行われるので、庇５を外壁１１に取り付ける際に、容易に位置決めできるとともに、締結中に庇５の位置がずれてしまうようなことがない。
なお、図６においては、庇５を斜めの状態から庇５を略水平な状態に回転した際の庇側係合部１７の動きを仮想線で図示した。また、仮想線で図示された水密材２５は、回転時に平板１６に入り込むように図示されているが、実際には、水密材２５が平板１６に押し付けられて大きく弾性変形することになる。
【００５３】
次に、庇５の下面側の開口から手を挿入して庇側係合部２０の接合板２０ｂの挿通孔２６に挿入されたボルト１８の先端部にナット１８ｂを螺合し、スパナ等の工具でナット１８ｂを回してボルト１８とナット１８ｂとにより庇５と外壁１１とを締結する。また、コーチスクリュー１９を庇側係合部２０の接合板２０ｂの挿通孔２７に挿入するとともにねじ込んで、コーチスクリュー１９により庇５と外壁１１とを締結する。
【００５４】
この際には、壁側接合部４の平板１６に庇側接合部６の水密材２５が押し付けられて上述のように庇５と外壁１１と接合部の間が下側を除いて水密された状態となる。
そして、上述のような締結作業が終了した後に庇５の下面側の開口に軒天材２４を取り付けて、開口を閉塞する。
以上のように、この一例の外壁の部材取付構造を用いた外壁１１への部材、すなわち、庇５の取り付けにおいては、庇５を一旦外壁に仮止めした状態で締結作業が行えるので、締結作業中の庇５を手で支える必要がなく、また、締結作業中に庇５の位置がずれてしまうようなことがないので、容易に庇５を外壁１１に接合する締結作業を行うことができる。
【００５５】
また、上述のように水遮断手段となる外壁１１側の平板１６と庇５側の水密材２５とが、庇５を外壁１１に締結することにより、互いに押し付けられて密着した状態となるので、コーキング材の充填等の防水処理を行う必要が無く、外壁１１への庇５の取付作業における防水処理作業を大幅に省力化することができる。従ってコーキング材等の湿式の材料を用いた湿式作業を行う必要がなく、乾式作業だけで、庇５の外壁１１への取り付けを行うことができる。そして、作業を乾式作業だけとすることにより、コーキング材の充填のように作業者によって多少仕上がりに差異がでるようなことがなく、仕上がりの品質を安定したものとすることができる。
【００５６】
なお、上記例においては、コーキング材の充填を行わないので、外壁面のサイディング１４の開口部に取り付けられる庇５の接合部側の周囲に直接サイディング１４の開口側の側縁部が配置されることになるが、庇５の接合部側の周囲とサイディング１４の上記開口側の側縁部との間の部分に例えば各種ゴムやその他の合成樹脂からなるパッキンを配置するものとしても良い。
このようにすれば、庇部分における防水性をさらに高めることができるとともに、予め成形されパッキンを用いることにより湿式作業とならず、上述のように仕上がりの品質を安定したものとすることができる。
【００５７】
【発明の効果】
本発明の請求項１記載の外壁の部材取付構造によれば、上記接合手段により外壁に上記部材を取り付けた際に、壁側水遮断手段と部材側水遮断手段とが互いに押し付けられて、壁側水遮断手段と部材側水遮断手段とが当接した部分が止水された状態となるので、外壁面に上記部材を取り付けた後に、例えば、外壁面と上記部材の周縁部において、外壁面と上記部材との間等にシーリング材を充填する必要がなく、外壁面への上記部材の取付作業において防水処理にかかる手間を省いて、上記取付作業を簡略化及び省力化することができる。
【００５８】
本発明の請求項２記載の外壁の部材取付構造によれば、上述のように壁側水遮断手段と部材側水遮断手段とが、互いに押し付けられた際に、一方の弾性を有する水遮断手段が弾性変形し、弾性変形した方の水遮断手段がその弾性力により他方の平板上の水遮断手段に常時押し付けられて水遮断手段同士が密着した状態が保持され、壁側水遮断手段と部材側水遮断手段とが互いに当接した部分の水密性を確保することができる。
【００５９】
本発明の請求項３記載の外壁の部材取付構造によれば、外壁が、住宅の建築前に予めパネル状に形成されるとともに、該パネル状の外壁の外面において、上記部材の取付位置を除く部分に予め外装仕上げ材が貼設されているので、建築現場において、外壁に外装仕上げ材を取り付ける必要がなく、現場作業の省力化を図ることができる。
【００６０】
本発明の請求項４記載の外壁の部材取付構造によれば、上記水切り板により、壁と上記部材との接合部に直接雨水がかかるのを防止することができ、壁と上記部材との接合部の防水性を向上することができる。
【００６１】
本発明の請求項５記載の外壁の部材取付構造によれば、外壁面の外装仕上げ材が取り付けられていない上記部材の取付位置が、壁側水遮断手段となる平板に覆われているので、外壁面の外装仕上げ材に保護されない上記部材の取付位置が、平板に保護されることになる。特に、上記平板が防火性を有するので、外装仕上げ材に保護されない上記部材の取付位置の防火性能を向上することができる。
【図面の簡単な説明】
【図１】本発明の実施の形態の一例の外壁の部材取付構造が用いられた住宅を示す背面図である。
【図２】上記例の外壁の部材取付構造の外壁となる大型外壁パネルを示す正面図である。
【図３】上記例の外壁の部材取付構造の外壁に設けられた壁側接合部を示す斜視図である。
【図４】上記例の外壁の部材取付構造の庇を示す斜視図である。
【図５】上記例の外壁の部材取付構造により外壁に取り付けられた庇を示す斜視図である。
【図６】上記例の外壁の部材取付構造を示す断面図である。
【符号の説明】
２        壁パネル
３        大型壁パネル
５        庇
７        水切り板
１１      外壁
１４      サイディング（外装仕上げ材）
１６      平板（壁側水遮断手段）
１７      壁側係合部（係合手段）
１８      ボルト（接合手段）
１８ｂ    ナット（接合手段）
１９      コーチスクリュー（接合手段）
２０      庇側係合部（係合手段）
２５      水密材（部材側水遮断手段）
【図１】
0003868601.tif 000002
【図２】
0003868601.tif 000003
【図３】
0003868601.tif 000004
【図４】
0003868601.tif 000005
【図５】
0003868601.tif 000006
【図６】
0003868601.tif 000007